(57)【要約】【課題】吸込具の継手管内にリード線収容部を設け、リード線収容部内にリード線の引き回しを規制するリブを設け、そのリブとリード線収容部から吸込具側へリード線が出る出口へ至るリード線の長さを大きくとらないとリード線の断線に繋がるため，吸込具を小型化することが困難であった。【解決手段】吸込具５の継手管１２０内にリード線収容部１４０を形成し、リード線収容部１４０内にリード線１３０の引き回しを規制するリード線規制リブ１２７を設け、リード線規制リブ１２７から、リード線収容部１４０から吸込具５側へリード線１３０が出る継手管引出口１２８へ至る複数のリード線１３０が、継手管引出口１２８の設けられる側と反対側に迂回してから継手管引出口１２７へ至るようにして，リード線１３０の引き回しが長くなり、継手管１２０の回動によるリード線１３０の断線を低減した。【選択図】図７
2013202079.tif 000002
【特許請求の範囲】
【請求項１】
下面に開口した吸込口、電力により動作する電気機器またはセンサを有する本体ケースと、この本体ケースに回動可能に接続される接続管とを備えた電気掃除機の吸込具において、
前記接続管は、
前記本体ケースに対して、または、前記本体ケースに回動自在に軸支される横向きの軸部を有する回動管に対して、周方向に回動可能に取り付けられるとともに、前記電気機器に対し電力を供給若しくは制御信号を送信または前記センサから検出信号を受信する複数のリード線を収容するリード線収容部を有する継手管を備え、
前記リード線収容部は、前記複数のリード線の引き回しを規制するリード線規制リブを有するとともに、前記リード線収容部から前記本体ケース側へ前記複数のリード線を引き出す継手管引出口が前記リード線収容部の前記本体ケース側端部または前記回動管側端部の左右両端のいずれか一方側に設けられ、前記リード線収容部に前記複数のリード線を引き込む継手管引込口が前記本体ケースと反対側の端部に設けられ、
前記リード線規制リブから前記継手管引出口へ至る前記複数のリード線が、前記継手管引出口の設けられる側と反対側に迂回してから継手管引出口へ至ることを特徴とする電気掃除機の吸込具。
【請求項２】
前記リード線規制リブを前記継手管引込口に対し前記継手管引出口と反対側に配置したことを特徴とする請求項１記載の電気掃除機の吸込具。
【請求項３】
前記リード線規制リブから前記継手管引出口へ至る前記複数のリード線を弾性部材で束ねたことを特徴とする請求項１または請求項２に記載の電気掃除機の吸込具。
【請求項４】
前記リード線規制リブから前記継手管引出口へ至る前記複数のリード線と前記リード線収容部の内壁との衝突を抑制する緩衝部材を設けたことを特徴とする請求項１乃至請求項３のいずれか１項に記載の電気掃除機の吸込具。
【請求項５】
前記リード線規制リブから前記継手管引出口へ至る前記複数のリード線が前記継手管の周方向の回動にともなって摺動するのを抑制する摺動抑制部材を、前記継手管が接続される前記本体ケース側または前記回動管側に設けたことを特徴とする請求項１乃至請求項４のいずれか１項に記載の電気掃除機の吸込具。
【請求項６】
前記継手管は、前記リード線収容部の上面を覆うとともに、下面から下方に突出するリブを有する継手管カバーを備え、前記継手管カバーを前記継手管に装着したときに、前記リブが前記リード線規制リブの近傍の前記複数のリード線と当接することを特徴とする請求項１乃至請求項５のいずれか１項に記載の電気掃除機の吸込具。
【請求項７】
下面に開口した吸込口、電力により動作する電気機器またはセンサを有する本体ケースと、この本体ケースに回動可能に接続される接続管とを備えた電気掃除機の吸込具において、
前記接続管は、
前記本体ケースに対して、または、前記本体ケースに回動自在に軸支される横向きの軸部を有する回動管に対して、周方向に回動可能に取り付けられるとともに、前記電気機器に対し電力を供給若しくは制御信号を送信または前記センサから検出信号を受信する複数のリード線を収容するリード線収容部を有する継手管を備え、
前記リード線収容部は、前記リード線収容部から前記本体ケース側へ前記複数のリード線を引き出す継手管引出口が前記リード線収容部の前記本体ケース側端部または前記回動管側端部の左右両端のいずれか一方側に設けられ、
前記継手管引込口から前記継手管引出口へ至る前記複数のリード線が、前記継手管引出口の設けられる側と反対側に迂回してから継手管引出口へ至ることを特徴とする電気掃除機の吸込具。
【請求項８】
前記継手管引込口から前記継手管引出口へ至る前記複数のリード線が、前記継手管引出口の設けられる側と反対側外向きにループ状に迂回してから継手管引出口へ至ることを特徴とする請求項７記載の電気掃除機の吸込具。
【請求項９】
前記リード線収容部は、前記複数のリード線の引き回しを規制するリード線規制リブを有するとともに、前記リード線規制リブが前記継手管引込口から前記継手管引出口へ至る前記複数のリード線を保持することを特徴とする請求項８記載の電気掃除機の吸込具。
【請求項１０】
前記継手管引込口から前記継手管引出口へ至る前記複数のリード線を弾性部材で束ねたことを特徴とする請求項７乃至請求項９のいずれか１項に記載の電気掃除機の吸込具。
【請求項１１】
前記継手管引込口から前記継手管引出口へ至る前記複数のリード線と前記リード線収容部の内壁との衝突を抑制する緩衝部材を設けたことを特徴とする請求項７乃至請求項１０のいずれか１項に記載の電気掃除機の吸込具。
【請求項１２】
前記継手管引込口から前記継手管引出口へ至る前記複数のリード線が前記継手管の周方向の回動にともなって摺動するのを抑制する摺動抑制部材を、前記継手管が接続される前記本体ケース側または前記回動管側に設けたことを特徴とする請求項７記載の電気掃除機の吸込具。
【請求項１３】
前記継手管は、前記リード線収容部の上面を覆うとともに、下面から下方に突出するリブを有する継手管カバーを備え、前記継手管カバーを前記継手管に装着したときに、前記リブが継手管引込口の近傍の前記複数のリード線と当接することを特徴とする請求項７乃至請求項１２のいずれか１項に記載の電気掃除機の吸込具。
【請求項１４】
請求項１乃至請求項１３のいずれか１項に記載の電気掃除機の吸込具と、この吸込具に接続され、吸引風を発生する電動送風機、前記電動送風機により吸引される塵埃を貯留する集塵部を内蔵する掃除機本体と、を備えた電気掃除機。
【発明の詳細な説明】
【技術分野】
【０００１】
本発明は、電気掃除機の吸込具に係り、特に、回転ブラシを駆動するモーターや吸込具の周囲を照らすライトといった電力で動作する電気機器や、床面センサ等の各種センサを内蔵し、この電気機器やセンサに接続されるリード線の断線を防ぐ電気掃除機の吸込具に関するものである。
【背景技術】
【０００２】
従来，掃除の際、電気掃除機の吸込具の移動の負担を軽減するために、回転ブラシをモーターで回転して自走させる構成となっている。そして、このモーターに電力を供給するために、掃除機本体から吸込具に内蔵された回転ブラシ用モーターへリード線を接続する必要がある。
ここで、掃除機本体と連通する接続管が吸込具の本体ケースに回動自在に接続され、リード線は接続管を経由して本体ケース内の電気機器やセンサに接続される。そして、さまざまな場所を清掃するためには、接続管が所定の角度範囲で回動可能であることが必要であるため、接続管にリード線を収容し固定するようになっている（例えば、特許文献１参照）。
なお、リード線は、モーターへの電力を供給するほか、モーターの回転を制御する制御信号が掃除機本体側から吸込具へ送信されたり、吸込具の底面が被掃除面である床面と接触しているか否かを検知する床面センサからの検出信号が吸込具から掃除機本体側へ送信されるものもある。
【先行技術文献】
【特許文献】
【０００３】
【特許文献１】特許第３１４０９４５号公報（３、４頁、図３）
【発明の概要】
【発明が解決しようとする課題】
【０００４】
上記の電気掃除機の吸込具においては，リード線は伸縮しないため、接続管、特に、接続面の周方向に回動する継手管の回動に伴い、リード線収容部に設けられるリード線の引き回しを固定して規制するリード線固定部と、リード線収容部から吸込具本体ケース側へのリード線出口部間を屈曲運動する。リード線の屈曲運動により断線しないようにするには屈曲角度を抑えればよいが、リード線固定部からリード線出口部までの距離を大きくとる必要がある。このように、リード線固定部とリード線出口部の間の距離を十分に取れず、リード線断線という問題がつきまとうため、吸込具の小型化が困難であるという課題があった。
【０００５】
本発明は、上記の問題を解決するためになされたもので、接続菅を回動しても、中を通るリード線が断線しない小型の吸込具及びこれを用いた電気掃除機を提供することを目的とする。
【課題を解決するための手段】
【０００６】
本発明に係わる電機掃除機の吸込具は、下面に開口した吸込口、電力により動作する電気機器またはセンサを有する本体ケースと、この本体ケースに回動可能に接続される接続管とを備えた電気掃除機の吸込具において、接続管は、本体ケースに対して、または、本体ケースに回動自在に軸支される横向きの軸部を有する回動管に対して、周方向に回動可能に取り付けられるとともに、電気機器に対し電力を供給若しくは制御信号を送信またはセンサから検出信号を受信する複数のリード線を収容するリード線収容部を有する継手管を備え、リード線収容部は、複数のリード線の引き回しを規制するリード線規制リブを有するとともに、リード線収容部から本体ケース側へ複数のリード線を引き出す継手管引出口がリード線収容部の本体ケース側端部または回動管側端部の左右両端のいずれか一方側に設けられ、リード線収容部に複数のリード線を引き込む継手管引込口が本体ケースと反対側の端部に設けられ、リード線規制リブから継手管引出口へ至る複数のリード線が、継手管引出口の設けられる側と反対側に迂回してから継手管引出口へ至るものである。
【０００７】
また、下面に開口した吸込口、電力により動作する電気機器またはセンサを有する本体ケースと、この本体ケースに回動可能に接続される接続管とを備えた電気掃除機の吸込具において、接続管は、本体ケースに対して、または、本体ケースに回動自在に軸支される横向きの軸部を有する回動管に対して、周方向に回動可能に取り付けられるとともに、電気機器に対し電力を供給若しくは制御信号を送信またはセンサから検出信号を受信する複数のリード線を収容するリード線収容部を有する継手管を備え、リード線収容部は、リード線収容部から本体ケース側へ複数のリード線を引き出す継手管引出口がリード線収容部の本体ケース側端部または回動管側端部の左右両端のいずれか一方側に設けられ、継手管引込口から継手管引出口へ至る複数のリード線が、継手管引出口の設けられる側と反対側に迂回してから継手管引出口へ至るものである。
【発明の効果】
【０００８】
本発明に係わる電気掃除機の吸込具は、リード線規制リブまたは継手管引込口から継手管引出口へ至る複数のリード線が、継手管引出口の設けられる側と反対側に迂回してから継手管引出口へ至るので、リード線の引き回しが長くなり、継手管の回動によるリード線の断線を低減する、小型の吸込具及びこれを用いた電気掃除機を得ることができる。
【図面の簡単な説明】
【０００９】
【図１】本発明の実施の形態１における電気掃除機の斜視図である。
【図２】本発明の実施の形態１における電気掃除機の吸込具の斜視図である。
【図３】本発明の実施の形態１における電気掃除機の吸込具の分解斜視図である。
【図４】本発明の実施の形態１における電気掃除機の吸込具の接続管の斜視図（継手管カバーとリード線を外した状態）である。
【図５】本発明の実施の形態１における電気掃除機の吸込具の接続管の平面図（継手管カバーを外した状態）である。
【図６】本発明の実施の形態１における電気掃除機の吸込具の継手管の斜視図（継手管カバー及びリード線を外した状態）である。
【図７】本発明の実施の形態１における電気掃除機の吸込具の継手管の平面図（継手管カバーを外した状態））である。
【図８】本発明の実施の形態２における電気掃除機の吸込具の継手管の平面図（継手管カバーを外した状態）である。
【図９】本発明の実施の形態２における電気掃除機の吸込具のリード線を束ねる弾性部材の模式図である。
【図１０】本発明の実施の形態３における電気掃除機の吸込具の継手管の平面図（継手管カバーを外した状態）である。
【図１１】本発明の実施の形態４における電気掃除機の吸込具の接続管の斜視図（継手管カバーを外した状態）である。
【図１２】図１１の要部である摺動抑制部材の動作を説明するための、電気掃除機の吸込具の接続菅の平面図（継手菅カバーを外した状態）である。
【図１３】本発明の実施の形態５における電気掃除機の吸込具の接続管の平面図（継手管カバーを外した状態）である。
【図１４】本発明の実施の形態５における電気掃除機の吸込具の接続管の斜視図（継手管カバーを外した状態）である。
【図１５】本発明の実施の形態６における電気掃除機の吸込具の継手管カバーの斜視図である。
【図１６】本発明の実施の形態６における電気掃除機の吸込具の継手管カバーの下面から見た平面図である。
【図１７】本発明の実施の形態６における電気掃除機の吸込具の継手管カバーの動作を説明する図である。
【図１８】従来の電気掃除機の吸込具の斜視図である。
【図１９】従来の電気掃除機の吸込具の継手菅の斜視図（継手管カバー及びリード線を外した状態）である。
【図２０】従来の電気掃除機の吸込具の継手菅の平面図（継手管カバーを外した状態）である。
【図２１】従来の電気掃除機の吸込具の継手管を小型化した場合の課題を説明するための継手菅の斜視図（継手管カバー及びリード線を外した状態）である。
【図２２】従来の電気掃除機の吸込具の継手管を小型化した場合の課題を説明するための継手菅の平面図（継手管カバーを外した状態）である。
【発明を実施するための形態】
【００１０】
まず、従来の電気掃除機の吸込具の課題を詳細に説明する。
図１８は、従来の電気掃除機の吸込具の斜視図である。
吸込具５は、本体ケース６と、本体ケース６に回動可能に接続される接続管１０とを備える。
本体ケース６は、下面に開口した吸込口（図示せず）が形成され、吸込口に臨んで回転ブラシ（図示せず）が回転可能に配設される。回転ブラシを回転駆動するブラシモーター（図示せず）も本体ケース６内に配設される。このブラシモーターは電力により動作する電気機器の一例である。
接続管１０は、回動管１１と継手管１２０から構成される。回動管１１は本体ケース６側（一側）の端部に横向き（本体ケース６の長手方向）の軸部を有し、回動管１１はこの軸部の周りに上下方向に回動自在に軸支される。継手管１２０は回動管１１の他側に接続され、回動管１１の他側の端面に沿って周方向に回動自在に軸支される。接続管１１には後述する複数のリード線１３０が挿通され、電気掃除機本体２から接続管１０を経由してブラシモーターへ電力を供給する（図１参照）。
【００１１】
図１９は従来の電気掃除機の吸込具の継手菅の斜視図であり、後述する継手管１２０の上部を覆う継手管カバー１５０及びリード線１３０ａ、１３０ｂを外した状態を示す。図２０は従来の電気掃除機の吸込具の継手菅の平面図であり、継手管カバー１５０を外した状態を示す。
継手管１２０はパイプ４の他側（吸込具側）と接続される円筒状のパイプ接続部１２１と、回動管接続部１２２を有する（図１参照）。
パイプ接続部１２１にはパイプ４の他側（吸込具側）に挿入される開口１２１ａが形成される。
【００１２】
パイプ接続部１２１は回動管１１と接続される部分である。パイプ接続部１２１の回動管１１と接続される端側には、円筒状の内筒部１２３ａ及び内筒部１２３ａと空間を隔てて略半円筒の外筒部１２３ｂとが形成される。内筒部１２３ａ及び外筒部１２３ｂが回動管１１の他側（継手管側）に形成される筒部（図示せず）と嵌合することにより、継手管１２０は内筒部１２３ａ及び外筒部１２３ｂの中心軸周りに回動する。
【００１３】
パイプ接続部１２１と回動管接続部１２２との間の外面に立壁１２５が立設され、立壁１２５には、リード線１３０ａ及び１３０ｂが接続される端子１３１ａ、１３１ｂが挿通される端子孔１２５ａ、１２５ｂが穿設される。
【００１４】
回動管接続部１２２は、立壁１２５の両端と連なるように一対の側壁１２４ａ、１２４ｂが回動管接続部１２２の外面に立設される。立壁１２５、一対の側壁１２４ａ、１２４ｂ、内筒部１２３ａの立壁１２５側に対向する外面及び底面１２６により、リード線収容部１４０を構成する。
【００１５】
図２０に示すように、リード線１３０ａ、１３０ｂは、立壁１２５の端子孔１２５ａ、１２５ｂ（継手管引込口）側からリード線収容部１４０に引き込まれ、側壁１２４ａとこれに対向する内筒部１２３ａとの間（継手管引出口１２８）から回動管１１を経由して吸込具５の本体ケース６側へ引き出される。
リード線収容部１４０には、継手管引込口１２５ａ、１２５ｂから継手管引出口１２８へのリード線１３０の引き回しを規制するリード線規制リブ１２７が底面１２６の外面で、対向する一対の側壁１２４ａ、１２４ｂの間の中央に立設される。リード線規制リブ１２７には、リード線１３１ａ及び１３１ｂをそれぞれ挟持して固定するリード線保持部１２７ａ、１２７ｂが形成される。
【００１６】
図２０に示すような状態で、リード線１３０はリード線収容部１４０の中に収容される。ここで、継手管１２０を回動管１１に対して回動するとき、リード線１３０は伸縮しないため、リード線１３０は、リード線規制リブ１２７のリード線保持部１２７ａ、１２７ｂを支点として、リード線規制リブ１２７と継手管引出口１２８との間を屈曲運動する。図２０に示す状態では，リード線規制リブ１２７と継手管引出口１２８との間の距離を大きくとっているため、リード線１３０の屈曲角度が小さくなり、リード線１３０は断線しにくくなる。
【００１７】
しかし、吸込具５を小型化する場合、継手管１２０も小型化する必要がある。そうすると、図２２に示すように、リード線収容部１４０の、パイプ接続部１２１の管軸方向に沿った寸法が小さくなり、その結果、リード線規制リブ１２７と継手管引出口１２８との距離も小さくなる。この状態で継手管１２０を回動管１１に対して回動すると、リード線１３０の屈曲角度が大きくなり、リード線１３０は断線しやすくなる。
このように、継手管内に収容されるリード線の断線の問題が生じ、吸込具を小型化するのが困難であるという課題があった。
【００１８】
実施の形態１．
図１は実施の形態１における電気掃除機の斜視図を示す。図２は実施の形態１における電気掃除機の吸込具の斜視図である。図３は実施の形態１における電気掃除機の吸込具の分解斜視図である。図４は実施の形態１における電気掃除機の吸込具の接続管の斜視図（継手管カバーとリード線を外した状態）である。図５は実施の形態１における電気掃除機の吸込具の接続管の平面図（継手管カバーを外した状態）である。図６は実施の形態１における電気掃除機の吸込具の継手管の斜視図（継手管カバー及びリード線を外した状態）である。図７は実施の形態１における電気掃除機の吸込具の継手管の平面図（継手管カバーを外した状態））である。なお、各図において同じ部分にはこれと同じ符号を付している。
【００１９】
以下、図１から図７を用いて説明する。
電気掃除機１は、電気掃除機本体２と、これに一端が接続されるホース３と、このホース３の他端に一端が接続されるパイプ４と、このパイプ４の他端に接続される吸込具５とから構成される。
電気掃除機本体２には、電源コード（図示せず）により商用電源から供給される電力により吸引風を発生する電動送風機（図示せず）や、この電動送風機により被掃除面である床面などから塵埃とともに吸引された吸引風の中の塵埃を貯留する集塵部（図示せず）が内蔵される。
ホース３の他端側には操作者が把持して電気掃除機１を引き回す手元部３ａが設けられ、手元部３ａには、電動送風機の駆動開始、停止、出力の調整などを行う操作部３ｂが設けられる。
吸込具５は、後述するように、本体ケース６と、本体ケース６に回動可能に接続される接続管１０とを備え、パイプ４の他端が接続管７の一端と接続される。
【００２０】
図２は、小型化を図った実施の形態１における電気掃除機の吸込具の斜視図である。従来技術の説明で示した図１８と同様に、吸込具５は、本体ケース６と、本体ケース６に回動可能に接続される接続管１０とを備える。
本体ケース６は、下面に開口した吸込口６２ｃが形成され、吸込口６２ｃに臨んで回転ブラシ６４が回転可能に配設される。回転ブラシ６４を回転駆動するブラシモーター６３ａも本体ケース６内に配設される。このブラシモーター６３ａは電力により動作する電気機器の一例である。
【００２１】
（本体ケース）
図３は、実施の形態１における電気掃除機の吸込具の分解斜視図である。吸込具５の本体ケース６は、上ケース６１、下ケース６２及び基板ホルダー６３とから構成される。
下ケース６２は横長の枠状体であり、吸込口６２ａが形成されている。回転ブラシ６４の両端の軸受部６４ａ、６４ｂが下ケース６２の下側から下ケース６２へ着脱自在に装着される。さらに、回転ブラシ６４の両側に回転ブラシカバー６６ａ、６６ｂが回転ブラシ６４の下方から着脱自在に装着され、回転ブラシ６４が下ケース６２から抜け落ちるのを防止する。また、後述する回動管１１の先端部の両側に形成された一対の横向きの軸部１１ａ、１１ｂ（図５参照）を軸支する一対の受け部６２ａ、６２ｂが下ケース６２に形成される。
【００２２】
基板ホルダー６３には、ブラシモーター６３ａと制御部６３ｃが固定される。ブラシモーター６３ａと制御部６３ｃとの間は、回動管１１の円筒部１１ｃが挿入されるように隔てられている。ブラシモーター６３ａは、回転ブラシ６４をベルト（図示せず）を介して回転駆動する。ここで、ブラシモーター６３ａと回転ブラシ６４とは、軸受部６５ａを有し回転ブラシ６４のベルトの掛かる側の端部を係止する軸受ＢＯＸ６５により接続される。ブラシモーター６３ａの回転軸６３ｂの先端は軸受部６５ａに挿入され、回転自在に軸支される。制御部６３ｃは、電気掃除機本体２からホース３、パイプ４、継手管１２０、回動管１１を経由して電力が供給されるとともに、手元部３ａに設けられた操作部３ｂで操作された指令に基づく制御信号が制御部６３ｃへ送信される。制御部６３ｃからブラシモーター６３ａへ制御信号に基づき調整された電力が供給される。
【００２３】
上ケース６１は下面が開口した蓋状体であり、前端には下方に突出する複数の第１のリブ６１ａが形成される。さらに、爪部を供えた複数の第２のリブ６１ｂも形成される。後端の中央には、回動管１１の円筒部１１ｃが挿入されるように切込み部６１ｃが形成されている。上ケース６１は基板ホルダー６３を上から覆い、上ケース６１の後部と下ケース６２の後部とでネジにより固定される。複数の第１のリブ６１ａは下ケース６２の前端の裏面に形成された第１の被係止部（図示せず）と係止され、上ケース６１に上方から加わった荷重を下ケース６２に伝えることができる。その結果、荷重が分散され、荷重による上ケース６１と下ケース６２の変形も抑制され、壊れにくい。また、第２のリブ６１ｂの爪部も下ケース６２の前端の裏面に形成された第２の被係止部（図示せず）に係止され、上ケース６１が下ケース６２と離間するようを防止する。
【００２４】
（接続管）
図４に示すように、接続管１０は、回動管１１と継手管１２０から構成される。接続管１０には後述する複数のリード線１３０が挿通され、掃除機本体２から接続管１０を経由してブラシモーターへ電力が供給される。
【００２５】
（回動管）
回動管１１は円筒部１１ｃ、直管部１１ｄ及びフランジ部１１ｅとを備える。円筒部１１ｃの両端には、本体ケース６側（一側）の端部に横向き（本体ケース６の長手方向）の軸部１１ａ、１１ｂ（図５参照）が形成される。これらの軸部１１ａ、１１ｂをそれぞれ軸支する受け部６２ａ、６２ｂが本体ケース側に形成される（図３参照）。その結果、回動管１１はこの軸部１１ａ、１１ｂの周りに上下方向に回動自在に軸支される。フランジ部１１ｅは後述する継手管１２０と接続される部分である。
【００２６】
（継手管）
継手管１２０は回動管１１の他側に接続され、回動管１１の他側のフランジ部１１ｅの端面に沿って周方向に回動自在に軸支される。継手管１２０はパイプ４の他側（吸込具側）と接続される円筒状のパイプ接続部１２１と、回動管接続部１２２を有する。パイプ接続部１２１にはパイプ４の他側（吸込具側）に挿入される開口１２１ａが形成される。パイプ接続部１２１の回動管１１と接続される端側には、円筒状の内筒部１２３ａ及び内筒部１２３ａと空間を隔てて略半円筒の外筒部１２３ｂとが形成される。内筒部１２３ａ及び外筒部１２３ｂが回動管１１の他側（継手管側）に形成される筒部（図示せず）と嵌合することにより、継手管１２０は内筒部１２３ａ及び外筒部１２３ｂの中心軸周りに回動する。
【００２７】
パイプ接続部１２１と回動管接続部１２２との間の外面に立壁１２５が立設され、立壁１２５には、リード線１３０ａ及び１３０ｂの端子１３１ａ、１３１ｂが挿通される端子孔１２５ａ、１２５ｂが穿設される。
回動管接続部１２２は、立壁１２５の両端と連なるように一対の側壁１２４ａ、１２４ｂが回動管接続部１２２の外面に立設される。立壁１２５、一対の側壁１２４ａ、１２４ｂ、内筒部１２３ａの立壁１２５側に対向する外面及び底面１２６により、リード線収容部１４０を構成する。
【００２８】
リード線１３０ａ、１３０ｂは、立壁１２５の端子孔１２５ａ、１２５ｂ（継手管引込口）側からリード線収容部１４０に引き込まれ、側壁１２４ａとこれに対向する内筒部１２３ａとの間（継手管引出口１２８）から回動管１１を経由して吸込具５の本体ケース６側へ引き出される。
実施の形態１では、リード線収容部１４０には、継手管引込口１２５から継手管引出口１２８へのリード線１３０の引き回しを規制するリード線規制リブ１２７が底面１２６の外面で、対向する一対の側壁１２４ａ、１２４ｂのうち、側壁１２４ｂ側、すなわち、継手管引出口１２８と反対側に立設される。リード線規制リブ１２７は一対のリード線保持部１２７ａ、１２７ｂが底面１２６から立設され、リード線１３０ａ、１３０ｂはリード線保持部１２７ａ、１２７ｂの間に挟持されて保持される。
【００２９】
図７に示すような状態で、リード線１３０はリード線収容部１４０の中に収容される。リード線１３０は立壁１２５に形成された端子孔１２５ａ、１２５ｂ（継手管引込口）からリード線収容部１４０に引き込まれ、リード線規制リブ１２７のリード線保持部１２７ａ、１２７ｂに矜持されて引き回しが規制された後、そのまま継手管引出口１２８と反対側に引き回される。その後反転して内筒部１２３ａの外周近傍に沿うように引き回され、継手管引出口１２８へと至る。
【００３０】
次に、動作について説明する。
電気掃除機本体２に内蔵された電源コードをコンセントに接続し、手元部３ａに設けられた操作部３ｂを操作することにより、電気掃除機本体２内の電動送風機が駆動され、吸引風が発生する。この吸引風により、被掃除面である床面等から塵埃とともに空気が、吸込具５の本体ケース６の下面の吸引口６２ｃから、接続管１０（回動管１１、継手管１２０）、パイプ４、ホース３を経由して電気掃除機本体２に取り込まれる。電気掃除機本体２に取り込まれた塵埃を含む空気は、塵埃が集塵室に貯留され、塵埃の除去された空気が電気掃除機本体から排出される。
【００３１】
操作部３ｂで電動送風機を駆動する操作を行うと、吸込具５の本体ケース６内に配設された回転ブラシ６４を回転駆動して、被掃除面の塵埃を掻きあげるように、回転ブラシ６４を駆動するブラシモーター６３ａへ電力が供給される。この電力は、電気掃除機本体２からホース３、パイプ４、継手管１２０、回動管１１、吸込具５の本体ケース３内に配設される、ブラシモーター６３ａを制御する制御部６３ｃを経由してブラシモーター６３ａへ供給される。
【００３２】
電気掃除機１の使用者は、手元部３ａを把持して吸込具５を前後に引き回す際に、回動管１１は本体ケース６に対して上下方向に往復回動し、継手管１２０は回動管１１に対してその周方向に往復回動する。この継手管１２０の往復回動において、継手管１２０のリード線収容部１４０に収容されたリード線１３０は、図７の矢印Ａの方向に往復移動し、継手管引出口１２８に引き込まれたり引き戻されたりする。ここで、リード線規制リブ１２７を側壁１２４ｂ側、すなわち、継手管引出口１２８と反対側に立設することにより、リード線１３０を継手管引出口１２８と反対側に引き回すことが容易になるとともに、リード線規制リブ１２７から継手管引出口１２８に至るまでに引き回すリード線１３０の長さを大きくとることができる。
したがって、吸込具５を小型化し、継手管１２０を小型化した結果リード線収容部１４０が小さくなっても、継手管１２０を回動管１１に対して回動するとき、リード線規制リブ１２７のリード線保持部１２７ａ、１２７ｂと継手管引出口１２８との間を屈曲運動するが、リード線１３０の屈曲角度が小さくなり、リード線１３０は断線しにくくなる。
【００３３】
なお、実施の形態１では、継手管１２０が回動管１１に接続される構成を示したが、吸込具５の本体ケース６に継手管１２０がその接続部の周りに周方向に回動自在に接続され、継手管１２０の後端側（パイプ４側）に回動管１１が接続される構成としてもよい。
【００３４】
このように、実施の形態１の電気掃除機の吸込具によれば、リード線規制リブから継手管引出口へ至る複数のリード線が、継手管引出口の設けられる側と反対側に迂回してから継手管引出口へ至るようにしたので、リード線規制リブから継手管引出口に至るまでに引き回すリード線の長さを大きくとることができ、継手管が回動管に対し回動してもリード線が断線しにくくなり、吸込具を小型化できる。
また、リード線規制リブを継手管引込口に対し継手管引出口と反対側に配置したので、リード線を継手管引出口と反対側に引き回すことが一層容易になる。
【００３５】
実施の形態２．
図８は実施の形態２における電気掃除機の吸込具の継手管の平面図（継手管カバーを外した状態）である。実施の形態１との違いは、リード線規制リブ１２７から継手管引出口１２８へ至る複数のリード線１３０ａ、１３０ｂが引き回される途中に、リード線１３０ａ、１３０ｂを束ねる弾性部材１３２を設けた点である。弾性部材１３２としては、例えば、シリコンゴムで形成されたチューブである（図９参照）。
【００３６】
継手管１２０が回動管１１に対し周方向に往復回動した場合、リード線１３０が繰り返し屈曲される個所にリード線１３０を弾性部材１３２で束ねることが望ましい。リード線１３０が繰り返し屈曲される個所にリード線１３０を弾性部材１３２で束ねることにより、弾性部材１３２の弾性力によりリード線１３０が屈曲される角度が低減され、リード線１３０が断線するのを抑制できる。
【００３７】
なお、弾性部材として弾性を有するチューブで構成したが、これに限るものでなく、輪ゴムなどで束ねてもよい。
【００３８】
なお、実施の形態２では、継手管１２０が回動管１１に接続される構成を示したが、吸込具５の本体ケース６に継手管１２０がその接続部の周りに周方向に回動自在に接続され、継手管１２０の後端側（パイプ４側）に回動管１１が接続される構成としてもよい。
【００３９】
このように、実施の形態２の電気掃除機の吸込具によれば、リード線規制リブから継手管引出口へ至る複数のリード線を弾性部材で束ねたので、継手管が接続される対象に対し周方向に往復回動により、リード線が断線するのを低減できる。
【００４０】
実施の形態３．
図１０は実施の形態３における電気掃除機の吸込具の継手管の平面図（継手管カバーを外した状態）である。実施の形態２との違いは、リード線規制リブ１２７から継手管引出口１２８へ至る複数のリード線１３０ａ、１３０ｂが引き回される途中に、複数のリード線１３０がリード線収容部１４０の内壁と衝突するのを抑制する緩衝部材１３３を設けた点である。緩衝部材１３３としては、例えば、ウレタンで構成し、リード線収容部１４０の内壁に貼りつける。
【００４１】
継手管１２０が回動管１１に対し周方向に往復回動した場合、リード線１３０がリード線収容部１４０の内壁に繰り返し衝突する箇所のリード線収容部１４０の内壁に緩衝部材１３３を貼りつけると、リード線１３０がリード線収容部１４０の内壁との衝突により受けるダメージが緩衝部材１３３により軽減され、このダメージによりリード線１３０が断線するのを抑制できる。
【００４２】
このように、実施の形態３の電気掃除機の吸込具によれば、リード線規制リブから継手管引出口へ至る複数のリード線とリード線収容部の内壁との衝突を抑制する緩衝部材を設けたので、継手管が接続される対象に対し周方向に往復回動により、リード線が断線するのを低減できる。
【００４３】
実施の形態４．
図１１は実施の形態４における電気掃除機の吸込具の接続管の斜視図（継手管カバーを外した状態）である。実施の形態１乃至３との違いは、リード線規制リブ１２７から継手管引出口１２８へ至る複数のリード線１３０ａ、１３０ｂが引き回される途中に、リード線１３０が継手管１２０の周方向の回動にともなって、回動管１１に対し摺動するのを抑制する摺動抑制部材１３４を、回動管１１側に設けた点である。摺動抑制部材１３４としては、実施の形態３の緩衝部材１３３と同様に、ウレタン等で構成する。継手管１２０が回動管１１に対し周方向に回動する場合に、リード線１３０と摺動抑制部材１３４との間で摩擦力が作用し、リード線１３０が回動管１１に対し摺動するのを抑制する。
【００４４】
図１２は、摺動抑制部材１３４の動作を説明するための、電気掃除機の吸込具の接続菅の平面図（継手菅カバーを外した状態）である。回動管１１に対し継手管１２０を回動しない状態のリード線収容部１４０内のリード線１３０の引き回し位置が１３０ｃ（点線で示す。２本のリード線をまとめて示す。）とする。次に、回動管１１に対し継手管１２０を左方向（時計方向）に回動した場合、リード線１３０の引き回し位置が１３０ｄ（実線で示す。２本のリード線をまとめて示す。）となる場合がある。これは、継手管引出口１２８から本体ケース６側に至るリード線１３０の引き回しに余裕がない場合、つまり、本体ケース６に対し回動管１１を上下方向に回動した場合にリード線１３０の移動代が少ない場合、継手管引出口１２８側ではリード線１３０は移動できず、回動管１１に対し継手管１２０を左方向（時計方向）に回動した場合、継手管１２０の回動に伴ってリード線１３０が引っ張られるためである。
【００４５】
リード線１３０の引き回し位置が１３０ｄとなった後に、回動管１１に対し継手管１２０を右方向（反時計方向）に回動した場合（元の位置に戻す方向に回動した場合）、リード線１３０の引き回し位置が１３０ｄから１３０ｃに戻ることが望ましい。１３０ｃの引き回し位置に戻らないと、１３０ｃと１３０ｄとの位置の違いに対応した長さのリード線１３０が継手管引出口１２８から本体ケース６側に押し込まれることとなり、回動管１１内や本体ケース６内でのリード線１３０の引き回しにおける屈曲に影響を及ぼし、断線するリスクが高まる虞がある。
【００４６】
そこで、摺動抑制部材１３４を回動管１１側に設けることにより、リード線１３０と摺動抑制部材１３４との間に摩擦力が働き、リード線規制リブ１２７から継手管引出口１２８に至るリード線１３０が回動管１１側に対して摺動が抑制される。その結果、リード線１３０の引き回し位置が１３０ｄとなった後に、回動管１１に対し継手管１２０を右方向に回動した場合（元の位置に戻す方向に回動した場合）、リード線１３０の引き回し位置が１３０ｄから１３０ｃに戻るようになり、リード線が断線するリスクを軽減することができる。
【００４７】
なお、実施の形態４でも、継手管１２０が回動管１１に接続される構成を示したが、吸込具５の本体ケース６に継手管１２０がその接続部の周りに周方向に回動自在に接続され、継手管１２０の後端側（パイプ４側）に回動管１１が接続される構成としてもよい。そして、摺動抑制部材１３４を継手管が接続される本体ケース側に設けてもよい。
【００４８】
このように、実施の形態４の電気掃除機の吸込具によれば、リード線規制リブから継手管引出口へ至る複数のリード線が継手管の周方向の回動にともなって摺動するのを抑制する摺動抑制部材を、継手管が接続される本体ケース側または回動管側に設けたので、継手管が接続される対象に対し周方向に往復回動により、リード線が断線するのを低減できる。
【００４９】
実施の形態５．
図１３は実施の形態５における電気掃除機の吸込具の接続管の平面図（継手管カバーを外した状態）である。図１４は実施の形態５における電気掃除機の吸込具の接続管の斜視図（継手管カバーを外した状態）である。
実施の形態２との違いは、継手管引込口１２５ａ、１２５ｂからリード線収容部１４０に引き込まれたリード線１３０ａ、１３０ｂは、継手管引出口１２８の設けられる側と反対側外向きにループ状に迂回してから継手管引出口１２８へ至る点である。なお、リード線収容部１４０は、複数のリード線１３０の引き回しを規制するリード線規制リブ１２７を有するとともに、リード線規制リブ１２７が継手管引込口１２５ａ、１２５ｂから継手管引出口１２８へ至る複数のリード線１３０を保持している。また、継手管引込口１２５ａ、１２５ｂから継手管引出口１２８へ至る複数のリード線１３０を弾性部材１３２で束ねている。
【００５０】
継手管引込口１２５ａ、１２５ｂからリード線収容部１４０に引き込まれたリード線１３０ａ、１３０ｂを、継手管引出口１２８の設けられる側と反対側外向きにループ状に迂回してから継手管引出口１２８へ至るように引き回したことにより、リード線収容部１４０内でリード線１３０が屈曲される曲率が実施の形態２の場合と比較して小さくなり、リード線１３０に加わる応力が小さくなる。その結果、リード線１３０の断線のリスクを軽減することができる。
【００５１】
また、継手管引込口１２５ａ、１２５ｂからリード線収容部１４０に引き込まれたリード線１３０ａ、１３０ｂを、継手管引出口１２８の設けられる側と反対側外向きにループ状に迂回し、リード線１３０ａ、１３０ｂの下をくぐって継手管引出口１２８へ至るように引き回したので、継手管１２０が回動管１１に対して周方向の回動にともなって、リード線規制リブ１２７から継手管引出口１２８に至る下側のリード線１３０が移動しても、継手管引込口１２５ａ、１２５ｂからリード線規制リブ１２７に至る上側のリード線１３０が下側のリード線１３０を押さえることになり、リード線１４０内のリード線１３０の引き回しが安定する。その結果、リード線１３０の断線のリスクを一層軽減することができる。
【００５２】
このように、実施の形態５の電気掃除機の吸込具によれば、継手管引込口から継手管引出口へ至る複数のリード線が、継手管引出口の設けられる側と反対側外向きにループ状に迂回してから継手管引出口へ至るようにしたので、リード線収容部内でリード線が屈曲される曲率が小さくなってリード線に加わる応力が小さくなり、リード線の断線のリスクを軽減することができる。
【００５３】
実施の形態６．
図１５は実施の形態６における電気掃除機の吸込具の継手管カバーの斜視図である。図１６は実施の形態６における電気掃除機の吸込具の継手管カバーの下面から見た平面図である。図１７は実施の形態６における電気掃除機の吸込具の継手管カバーの動作を説明する図である。
実施の形態１乃至５との違いは、継手管１２０に形成されたリード線収容部１４０の上面を覆う継手管カバー１５０を設け、継手管カバー１５０には下面から下方に突出するリブ１５４を有し、継手管カバー１５０を継手管１４０に装着したときに、リブ１５４がリード線規制リブ１２７の近傍の複数のリード線１３０と当接するようにした点である。
【００５４】
継手管カバー１５０は下面に開口した蓋状体であり、前端（回動管１１側）には回動管１１のフランジ部１１ｅと対向する円弧状の前端部１５１が形成される。両側には、継手管１２０の側壁１２４ａ及び１２４ｂとそれぞれ当接する側部１５２ａ及び１５２ｂが形成される。後端（パイプ４側）には、継手管１２０の立壁１２５の両側部及び頂部とそれぞれ当接する側辺部１５３ａ、１５３ｂ及び上辺部１５３ｃが形成される。下面には、下方へ突出するリブ１５４が形成される。ここで、リブ１５４は扁平な板状体である。
図１７に示すように、継手管カバー１５０を継手管１４０に装着したときに、リブ１５４の下端がリード線規制リブ１２７の近傍の下方に位置する。
【００５５】
リブ１５４がリード線規制リブ１２７の前方近傍（回動管１１側）にあるリード線１３０と当接し、リード線１３０を固定する。ここで、リブ１５４の水平断面は矩形であり、その長手方向がリード線１３０の伸びる方向と直交するように当接することが望ましい。これにより、継手管１２０が回動管１１に対し周方向に回動して、リード線収容部１４０内でリード線１３０が継手管引出口１２８側に引っ張られたり、継手管引出口側から押し出されたりしても、リード線１３０がリード線規制リブ１２７から抜けることを防止できる。
【００５６】
なお、リブ１５４がリード線規制リブ１２７の前方近傍（回動管１１側）にあるリード線１３０と当接する例を示したが、リード線規制リブ１２７の後方近傍（端子孔１２５ａ、１２５ｂ側）にあるリード線１３０と当接するようにしてもよい。
【００５７】
なお、実施の形態６でも、継手管１２０が回動管１１に接続される構成を示したが、吸込具５の本体ケース６に継手管１２０がその接続部の周りに周方向に回動自在に接続され、継手管１２０の後端側（パイプ４側）に回動管１１が接続される構成としてもよい。そして、摺動抑制部材１３４を継手管が接続される本体ケース側に設けてもよい。
+  
【００５８】
このように、実施の形態６の電気掃除機の吸込具によれば、継手管は、リード線収容部の上面を覆うとともに、下面から下方に突出するリブを有する継手管カバーを備え、継手管カバーを継手管に装着したときに、リブがリード線規制リブの近傍の複数のリード線と当接するようにしたので、継手管が本体ケースまたは回動管に対し周方向に回動して、リード線収容部内でリード線が継手管引出口側に引っ張られたり、継手管引出口側から押し出されたりしても、リード線がリード線規制リブから抜けることを防止できる。
【００５９】
なお、上記実施の形態１乃至６では、リード線収容部１４０内に複数のリード線の引き回しを規制するリード線規制リブ１２７を設ける構成を示したが、リード線規制リブ１２７を設けなくともよい。
すなわち、下面に開口した吸込口６２ｃ、電力により動作する電気機器またはセンサを有する本体ケース６と、この本体ケース６に回動可能に接続される接続管１０とを備えた電気掃除機１の吸込具５において、接続管１０は、本体ケース６に対して、または、本体ケース６に回動自在に軸支される横向きの軸部１１ａ、１１ｂを有する回動管１１に対して、周方向に回動可能に取り付けられるとともに、電気機器に対し電力を供給若しくは制御信号を送信またはセンサから検出信号を受信する複数のリード線１３０を収容するリード線収容部１４０を有する継手管１２０を備え、リード線収容部１４０は、リード線収容部１４０から本体ケース６側へ複数のリード線１３０を引き出す継手管引出口１２８がリード線収容部１４０の本体ケース側端部または回動管側端部の左右両端のいずれか一方側に設けられ、継手管引込口１２５ａ、１２５ｂから継手管引出口１２８へ至る複数のリード線１３０が、継手管引出口１２８の設けられる側と反対側に迂回してから継手管引出口１２８へ至るように構成してもよい。また、継手管引込口１２５ａ、１２５ｂから継手管引出口１２８へ至る複数のリード線１３０が、継手管引出口１２８の設けられる側と反対側外向きにループ状に迂回してから継手管引出口１２８へ至るようにしてもよい。
【００６０】
継手管引込口から継手管引出口へ至る複数のリード線が、継手管引出口の設けられる側と反対側に迂回してから継手管引出口へ至るようにすることで、継手管引込口から継手管引出口に至るまでに引き回すリード線の長さを大きくとることができ、継手管が回動管に対し回動してもリード線が断線しにくくなり、吸込具を小型化できる。
【００６１】
また、継手管引込口１２５ａ、１２５ｂから継手管引出口１２８へ至る複数のリード線１３０を弾性部材１３２で束ねてもよい。
継手管引込口から継手管引出口へ至る複数のリード線を弾性部材で束ねたので、継手管が接続される対象に対し周方向に往復回動により、弾性部材の弾性力により、リード線が屈曲される角度が低減され、リード線が断線するのを抑制できる。
【００６２】
また、継手管引込口１２５ａ、１２５ｂから継手管引出口１２８へ至る複数のリード線１３０とリード線収容部１４０の内壁との衝突を抑制する緩衝部材１３３を設けてもよい。
継手管１２０が回動管１１に対し周方向に往復回動した場合、リード線１３０がリード線収容部１４０の内壁に繰り返し衝突する箇所のリード線収容部１４０の内壁に緩衝部材１３３を貼りつけると、リード線１３０がリード線収容部１４０の内壁との衝突により受けるダメージが緩衝部材１３３により軽減され、このダメージによりリード線１３０が断線するのを抑制できる。
【００６３】
また、継手管引込口１２５ａ、１２５ｂから継手管引出口１２８へ至る複数のリード線１３０が継手管１２０の周方向の回動にともなって摺動するのを抑制する摺動抑制部材１３４を、継手管１２０が接続される本体ケース６側または回動管１１側に設けてもよい。
摺動抑制部材１３４を回動管１１側に設けることにより、リード線１３０と摺動抑制部材１３４との間に摩擦力が働き、リード線規制リブ１２７から継手管引出口１２８に至るリード線１３０が回動管１１側に対して摺動が抑制される。その結果、リード線１３０の引き回し位置が１３０ｄとなった後に、回動管１１に対し継手管１２０を右方向に回動した場合（元の位置に戻す方向に回動した場合）、リード線１３０の引き回し位置が１３０ｄから１３０ｃに戻るようになり、リード線が断線するリスクを軽減することができる。
【００６４】
なお、上記した複数の実施の形態はそれぞれ単独で実施するのみならず、適宜組み合わせて実施してもよいことは言うまでもない。
【符号の説明】
【００６５】
１  電気掃除機、２  電気掃除機本体、３  ホース、３ａ  手元部、３ｂ  操作部、４  パイプ、５  吸込具、６  本体ケース、６１  上ケース、６１ａ  第１のリブ、６１ｂ  第２のリブ、６１ｃ  切込み部６１ｃ、６２  下ケース、６２ａ、６２ｂ  受け部、６２ｃ  吸込口、６３  基板ホルダー、６３ａ  ブラシモーター、６３ｂ  回転軸、６３ｃ  制御部、６４  回転ブラシ、６４ａ、６４ｂ  軸受部、６５  軸受ＢＯＸ、６５ａ  軸受部、６６ａ、６６ｂ  回転ブラシカバー、１０  接続管、１１  回動管、１１ａ、１１ｂ  軸部、１１ｃ  円筒部、１１ｄ  直管部、１１ｅ  フランジ部、１２０  継手管、１２１  パイプ接続部、１２１ａ  開口、１２２  回動管接続部、１２３ａ  内筒部、１２３ｂ  外筒部、１２４ａ、１２４ｂ  側壁、１２５  立壁、１２５ａ、１２５ｂ  端子孔（継手管引込口）、１２６  底面、１２７  リード線規制リブ、１２７ａ、１２７ｂ  リード線保持部、１２８  継手管引出口、１３０、１３０ａ、１３０ｂ、１３０ｃ、１３０ｄ  リード線、１３１ａ、１３１ｂ  端子、１３２  弾性部材、１３３  緩衝部材、１３４  摺動抑制部材、１４０  リード線収容部。１５０  継手管カバー、１５１  前端部、１５２ａ、１５２ｂ  側部、１５３ａ、１５３ｂ  側辺部、１５３ｃ  上辺部、１５４  リブ。
【図１】
2013202079.tif 000003
【図２】
2013202079.tif 000004
【図３】
2013202079.tif 000005
【図４】
2013202079.tif 000006
【図５】
2013202079.tif 000007
【図６】
2013202079.tif 000008
【図７】
2013202079.tif 000009
【図８】
2013202079.tif 000010
【図９】
2013202079.tif 000011
【図１０】
2013202079.tif 000012
【図１１】
2013202079.tif 000013
【図１２】
2013202079.tif 000014
【図１３】
2013202079.tif 000015
【図１４】
2013202079.tif 000016
【図１５】
2013202079.tif 000017
【図１６】
2013202079.tif 000018
【図１７】
2013202079.tif 000019
【図１８】
2013202079.tif 000020
【図１９】
2013202079.tif 000021
【図２０】
2013202079.tif 000022
【図２１】
2013202079.tif 000023
【図２２】
2013202079.tif 000024